(57)【要約】【課題】  下側屋根にビス等の固定具のための孔を開けたり傷付けたりすることによる雨仕舞の不安が無く、しかも、下側屋根に対する上側屋根の取り付け作業が簡単で、効率良く施工することが可能である屋根構造を提供すること。【解決手段】  下側屋根１上に取付部材７を経て上側屋根１３を敷設する屋根構造において、下側屋根１は、幅方向に突出するはぜ部１ｂを有する縦桟１ａを有し、取付部材７は、縦桟１ａに被嵌可能で、上面部７ａと内側に突出する係止部７ｃを有する対向状の側面部７ｂからなり、取付部材７の上面部７ａとの間に引き上げ空間Ｓを残して対向状の吊り部８ｃを有する支持部材８を、下側屋根１側に載乗した状態に配設し、吊り部８ｃ上から螺合手段９で取付部材７を引き上げ、取付部材７の係止部７ｃを縦桟１ａのはぜ部１ｂに下側から係止し、この取付部材７を経て下側屋根１に固定した支持部材８上に上側屋根１３を葺く。【選択図】  図１
2004316414.tif 000002
【特許請求の範囲】
【請求項１】
下側屋根上に取付部材を経て上側屋根を敷設する屋根構造において、前記下側屋根は、幅方向に突出するはぜ部を有する縦桟を有し、前記取付部材は、前記縦桟に被嵌可能で、上面部と内側に突出する係止部を有する対向状の側面部からなり、前記取付部材の上面部との間に引き上げ空間を残して対向状の吊り部を有する支持部材を、下側屋根側に載乗した状態に配設し、前記吊り部上から螺合手段で取付部材を引き上げることで、取付部材の係止部を縦桟のはぜ部に下側から係止し、この取付部材を経て下側屋根に固定した前記支持部材上に上側屋根を葺いてあることを特徴とする屋根構造。
【請求項２】
支持部材が、取付部材の係止部を外側から押えて、当該係止部を縦桟のはぜ部に係止状態に保持可能な押え保持部を有していることを特徴とする請求項１記載の屋根構造。
【請求項３】
支持部材が、縦桟の長手方向に沿う取付部材の移動を阻止可能なストッパーを有していることを特徴とする請求項１または２記載の屋根構造。
【請求項４】
下側屋根と上側屋根の間に断熱材を配したことを特徴とする請求項１〜３のいずれか１項記載の屋根構造。
【発明の詳細な説明】
【技術分野】
【０００１】
本発明は新築或いは改修に有用な屋根構造に関する。
【背景技術】
【０００２】
既存の屋根を剥がさないで新設屋根を重ね葺きするものとして様々なものが提案されている。
例えば、特許文献１には、既設の瓦棒屋根材の上にこれを被覆する金属板屋根材を設置する屋根補修工法において、断面ほぼ逆Ｕ字形で相対向する両側壁の脚端を内側に屈曲させた金属板のフレームと、両側壁を貫通し締め込みにより両側壁を対向方向に押し込むねじ部材とよりなるクランプ金具を用い、クランプ金具を既設の瓦棒屋根材の瓦棒部の上にこれを跨ぐように配し、上記ねじ部材を締め込んで上記脚端で瓦棒屋根材の瓦棒部を両側面から挟み付けてクランプ金具を瓦棒部に固定し、固定されたクランプ金具の上に金属板屋根材の山部を重ね合わせ、これをクランプ金具のフレームにねじ締め固定するようにした屋根補修工法が記載されている。
この補修工法では、既設の瓦棒屋根材の瓦棒部にビス等の固定具のための孔を開けないで済むため、雨仕舞の面から非常に好ましい工法である。
ところで、瓦棒部にクランプ金具を固定する際、屋根面と平行状のねじ部材を締め込み操作するのであるが、この締め込み用の工具を取り回しするには瓦棒部の高さが十分でないため、手間・暇がかかって効率的でない問題を抱えている。
【特許文献１】特許第２９０７４２３号
【発明の開示】
【発明が解決しようとする課題】
【０００３】
解決しようとする課題は、第１には、下側屋根にビス等の固定具のための孔を開けたり傷付けたりすることによる雨仕舞の不安が無く、しかも、下側屋根に対する上側屋根の取り付け作業が簡単で、効率良く施工することが可能である屋根構造を、第２には、さらに、下側屋根に対する上側屋根の取り付け媒体の組み付け強度が堅牢である屋根構造を、第３には、さらに、下側屋根に対する上側屋根の取り付け媒体の組み付けを迅速に行なえる屋根構造を、第４には、さらに、高い断熱性を有する屋根構造を提供することにある。
【課題を解決するための手段】
【０００４】
本発明の屋根構造では前記した課題を達成するため、以下の構成にしたことを特徴とする。
１．下側屋根上に取付部材を経て上側屋根を敷設する屋根構造において、前記下側屋根は、幅方向に突出するはぜ部を有する縦桟を有し、前記取付部材は、前記縦桟に被嵌可能で、上面部と内側に突出する係止部を有する対向状の側面部からなり、前記取付部材の上面部との間に引き上げ空間を残して対向状の吊り部を有する支持部材を、下側屋根側に載乗した状態に配設し、前記吊り部上から螺合手段で取付部材を引き上げることで、取付部材の係止部を縦桟のはぜ部に下側から係止し、この取付部材を経て下側屋根に固定した前記支持部材上に上側屋根を葺いてあることを特徴とする。
２．前記した１の屋根構造において、支持部材が、取付部材の係止部を外側から押えて、当該係止部を縦桟のはぜ部に係止状態に保持可能な押え保持部を有していることを特徴とする。
３．前記した１または２の屋根構造において、支持部材が、縦桟の長手方向に沿う取付部材の移動を阻止可能なストッパーを有していることを特徴とする。
４．前記した１〜３のいずれか１項記載の屋根構造において、下側屋根と上側屋根の間に断熱材を配したことを特徴とする。
【０００５】
本発明における螺合手段は、ビスを支持部材上から取付部材のねじ孔に螺合する態様、ボルトを支持部材上から取付部材を通してナットに螺合する態様、タッピングネジ或いはタッピングボルト等を支持部材上から取付部材にねじ切りして螺合する態様、取付部材に溶接ボルトを立設して、この溶接ボルトの支持部材上に貫出しているねじ部分にナットを螺合する態様等を指し、ビス或いはボルト若しくはナット等を締めつけ操作することで取付部材を引き上げ可能な態様のものであれば良い。
取付部材はピース材或いは長尺材で、側面部の下端が下側屋根から離間する態様、当接する態様、近接する態様等が想定されるが、当接若しくは近接するほうが作業性は良い。すなわち、支持部材上からビス、タッピングネジ、ナット等の螺合手段を締つけする場合に、取付部材が逃げ動かずに確実に螺合できることになる。
取付部材の係止部は、側面部下端を内側上方に屈曲させて形成した態様であっても、側面部途中に打ち出し或いは止着して形成した突起状の係止爪であっても良く、既設屋根の突縁状はぜ部に下側から係止可能な形状であればよい。
【０００６】
取付部材と支持部材の関係は、螺合手段の締めつけ前にあっては、取付部材の上面部と支持部材の吊り部は上下に離間していて、下側屋根側に載乗して固定状の支持部材の吊り部に向けて取付部材を引き上げ可能な間隔すなわち引き上げ空間が確保されている上下関係であれば良い。
支持部材は、長尺材或いはピース材で、この支持部材は、下方の取付部材の上面部と上下に対向する吊り部を有し且つ下側屋根側（下側屋根および／または縦桟）に載乗可能な態様であれば、その他の形状は特に問わない。例えば、下方が開放した断面コ字状であっても良いし、断面ハット型等であっても良い。また、支持部材は、取付部材の係止部を外側から押えて、当該係止部を縦桟のはぜ部に係止状態に保持可能な押え保持部を有していても良いし、有していなくても良い。また、支持部材は、縦桟の長手方向に沿う取付部材の移動を阻止可能なストッパーを有していても良いし、有していなくとも良い。
【０００７】
支持部材は、縦桟の長手方向（流れ方向）に沿う方向に配しても、縦桟と交差する方向（桁行き方向）に配しても良い。前者では支持部材および取付部材の長さは問われず、長尺材或いはピース材のいずれであっても良いが、後者では支持部材は長尺材になり、取付部材はピース材となる。
支持部材は、縦桟の長手方向に沿って配設される場合、下側屋根面に接地すると共に縦桟に載乗して取付部材および縦桟を内包する態様、または、下側屋根面にのみ接地して取付部材および縦桟を内包する態様、或いは、縦桟にのみ載乗して取付部材および縦桟上部を内包する態様、若しくは、縦桟にのみ載乗して取付部材を内包する態様のいずれかになり、縦桟と交差する方向に配設される場合には、支持部材下端が縦桟上縁に当接して載乗して取付部材の少なくとも上面部を内包する態様になる。
また、支持部材は、縦桟に載乗した状態で、外側の押え保持部と内側のストッパー間に縦桟のはぜ部を把持（弾性的な把持関係を含む）可能に形成しても良く、この場合、縦桟のはぜ部に係止部を係止状態に保持可能であることに加えて、縦桟に対する支持部材の据わりが安定することになり、組み付け施工しやすくなる。
断熱材は、隣接する取付部材間に配する態様、隣接する支持部材間に配する態様、取付部材間および支持部材間に配する態様（２層となる）が想定される。
【発明の効果】
【０００８】
Ａ．請求項１により、下側屋根にビス等の固定具のための孔を開けたり傷付けたりすることによる雨仕舞の不安が無く、しかも、下側屋根に対する上側屋根の取り付け作業が簡単で、効率良く施工することできる。
また、支持部材上面の吊り部における螺合手段を締めつけ操作することにより、工具の取りまわしスペースが十分に確保され、既設屋根面を傷つけることも無い。
Ｂ．請求項２により、さらに、係止部がはぜ部に確実に係止して同状態に保持されるため、下側屋根に対する上側屋根の取り付け媒体すなわち取付部材および支持部材の組み付け強度が堅牢で強固である。
Ｃ．請求項３により、さらに、上側屋根が取り付けられる支持部材を下側屋根の縦桟に接続固定する取り付け媒体としての取付部材は、縦桟および支持部材のストッパーによって縦桟方向および同方向と交差する方向への動きを阻止されて、仮固定された状態で組み付けられるため、タッピングビス或いはボルト・ナット等の螺合手段による組み付け作業が容易であり、迅速且つ確実に行える。
Ｄ．請求項４により、さらに、高い断熱性を有する屋根構造に改修・施工できる。
【発明を実施するための最良の形態】
【０００９】
図１〜図３には本発明の屋根構造における実施の１形態として、屋根改修構造を例示しており、既設屋根１は、下地２上にアスファルトルーフィング等の防水部材３を経て既設屋根材４を流れ方向に沿い敷設して左右平行状に配設してあると共に、既設屋根材４左右側縁の立ち上げ部４ａ上端部と、この左右に隣り合う立ち上げ部４ａ間における下地２に敷設固定された吊子５の左右起立部５ａ上端部と、この左右起立部５ａ上端部間に亘り被嵌されたキャップ材６左右上端部とを三者一体状にはぜ締めすることで、外方へ突出状の左右の突縁状はぜ部１ｂおよびキャップ材６上面部による上面部１ｃ並びに凹部１ｄが形成された縦桟１ａを有する屋根面意匠に葺かれている。
【００１０】
この既設屋根１の縦桟１ａには、取付具７を左右の係止部７ｃが左右の突縁状はぜ部１ｂの下側に達するまで押し込むことにより流れ方向に適宜間隔をおいて配設してあると共に、かかる取付具７を内包するようにして隣り合う縦桟１ａに亘り支持部材８を載乗させて桁行き方向（左右方向）に配設し、取付具７が流れ方向および桁行き方向の動きを阻止された仮固定状態にしてある。
取付具７は、下方が開放したコ字状の金属製のピース材で、上面部７ａ中央を段違い状に高くして面強度アップしてあると共に、上面部７ａ左右を縦桟１ａの左右はぜ部１ｂ上縁に載乗可能な乗り面部７ａ１として形成してあり、垂下状の左右側面部７ｂ下端には係止部７ｃを内方斜め上向きに突設してある。この左右の係止部７ｃは、タッピングビス９による取付具７の引き上げ操作にともない縦桟１ａの左右の突縁状はぜ部１ｂ下縁に下側から係止している。
【００１１】
支持部材８は、取付具７の上面部７ａおよび側面部７ｂ上半に被さって内包可能な態様の下方が開放した断面ハット状の金属製の長尺材で、隣り合う縦桟１ａ上に亘り配設して、両側壁部８ａ下端の水平状当接部８ｂを縦桟１ａ上縁に当接させて載乗している。また支持部材８内には取付具７を双方の上下対向状の吊り部８ｃと上面部７ａ間に引き上げ空間Ｓを確保して内包してあると共に、対向状の両側壁部８ａ間に位置する取付具７の流れ方向の動きを阻止してある。
そして、縦桟１ａとの交差部位である支持部材８の吊り部８ｃ部分にはタッピングビス９を貫通させて、支持部材８内の桁行き方向および流れ方向の動きを阻止されて定位置に収まった取付具７の上面部７ａに螺合せしめてあると共に、このタッピングビス９を締めつけることで取付具７を引き上げて、左右側面部７ｂの係止部７ｃを縦桟１ａの左右の突縁状はぜ部１ｂ下縁に下側から係止せしめることにより、支持部材８を桁行き方向に隣り合う縦桟１ａ上に亘り取付具７を経て固定状態に取り付けてある。
【００１２】
かかる既設屋根１の桁行き方向に隣り合う縦桟１ａ間における既設屋根材４上面部には断熱材１０を配設してあると共に、支持部材８の吊り部８ｃには保持部材１１をその固定部１１ａをタッピングボルト１２で取り付けて立設してある。
この保持部材１１は、断面略上下二段傘状の金属製のもので、上側の第１被係止部１１ｂと下側の第２被係止部１１ｃを左右対称状に形成してあり、第１被係止部１１ｂに新設屋根材１４側縁の第１係止部１４ｂが、第２被係止部１１ｃに新設屋根材１４側縁の第２係止部１４ｃが、それぞれ係止可能に形成してある。
新設屋根材１４は、支持部材８上の左右に隣り合う保持部材１１間における支持部材８上に亘り流れ方向に敷設すると共に、新設屋根材１４における左右に隣り合う立ち上がり部１４ａ上側の第１係止部１４ｂを保持部材１１上側の第１被係止部１１ｂに、立ち上がり部１４ａ下側の第２係止部１４ｃを下側の第２被係止部１１ｃに、それぞれ係止してある。
そして、左右の第１係止部１４ｂと第１被係止部１１ｂとの係止部分には内カバー１５を被嵌して、第１被係止部１１ｂに対して第１係止部１４ｂを係止状態に保持してある。また、この内カバー１５を含めて、左右の新設屋根材１４の隣り合う立ち上がり部１４ａには外カバー１６を被嵌して雨仕舞することで、既設屋根１上に新設屋根１３を葺いてある。
【００１３】
図４〜図６には本発明の屋根構造における実施の他の１形態として、他の屋根改修構造を例示しており、構成は前記した図1の態様のものと基本的に同一であるため、共通している構成の説明は符号を準用して省略し、相違する構成について説明する。
既設屋根１の縦桟１ａには、取付具１７を左右の係止部１７ｃが左右の突縁状はぜ部１ｂを乗り越えて、側面部１７ｂ下端が既設屋根材４上面部に接地するまで押し込むことにより流れ方向に適宜間隔をおいて配設してあると共に、かかる取付具１７を内包するようにして縦桟１ａに支持部材１８を被せて流れ方向に配設してある。
取付具１７は、下方が開放したコ字状の金属製のピース材で、上面部１７ａの前縁および後縁に補強部１７ｄを折下げ形成して面強度アップしてあると共に、上面部１７ａから垂下状の左右側面部１７ｂを縦桟１ａよりも若干高くし、この左右側面部１７ｂにおける下端内縁には係止部１７ｃを内方斜め上向きに突設してある。この左右の係止部１７ｃは、タッピングビス９による取付具１７の引き上げ操作にともなって左右側面部１７ｂ下端が既設屋根材４上面部から離間することにより、縦桟１ａの左右の突縁状はぜ部１ｂ下縁に下側から係止している。
【００１４】
支持部材１８は、取付具１７を内包して縦桟１ａに跨って被嵌可能な態様の下方が開放した断面コ字状の金属製の長尺材で、縦桟１ａおよびこの縦桟１ａに被嵌状の取付具１７に跨った状態に配設して、両側壁部１８ａ下端の水平状接地部１８ｂを既設屋根材４上面部に当接させ載乗している。また支持部材１８内には取付具１７を双方の上面部１８ｃ、１７ａ間に引き上げ空間Ｓを確保して内包してある。
そして、支持部材１８の上面部１８ｃにはタッピングビス９を貫通させて、支持部材１８内の取付具１７の上面部１７ａに螺合せしめてあると共に、このタッピングビス９を締めつけることで取付具１７を引き上げて、左右側面部１７ｂの係止部１７ｃを縦桟１ａの左右の突縁状はぜ部１ｂ下縁に下側から係止せしめることにより、支持部材１８を縦桟１ａに取付具１７を経て固定状態に取り付けてある。
【００１５】
かかる既設屋根１の桁行き方向に隣り合う縦桟１ａ間における既設屋根材４上面部には断熱材１０を配設してあると共に、支持部材１８の上面部１８ｃには保持部材１１をその固定部１１ａをタッピングボルト１２で取り付けて立設してある。
この保持部材１１には新設屋根材１４を係止して敷設してあると共に、内カバー１５および外カバー１６を被嵌して雨仕舞することで、既設屋根１上に新設屋根１３を葺いてある。
【００１６】
図７〜図９には本発明の屋根構造における実施の他の１形態として、他の屋根改修構造を例示しており、構成は前記した図４の態様のものと基本的に同一であるため、共通している構成の説明は符号を準用して省略し、相違する構成について説明する。
既設屋根１の縦桟１ａには、取付具１９を左右の係止部１９ｃが左右の突縁状はぜ部１ｂの下側に達するまで押し込むことにより流れ方向に適宜間隔をおいて配設してあると共に、かかる取付具１９を個別にそれぞれ内包するようにして縦桟１ａおよび既設屋根材４上面に支持部材２２を載乗・接地させて流れ方向に配設し、取付具１９が流れ方向および桁行き方向の動きを阻止された仮固定状態にセットしてある。
取付具１９は、下方が開放したコ字状の金属製のピース材で、上面部１９ａ中央に溶接ボルト２０を立設してあると共に、上面部１９ａ左右縁部分を縦桟１ａの左右はぜ部１ｂ上縁に載乗可能な乗り面部１９ａ１として形成してあり、垂下状の左右側面部１９ｂ下端には係止部１９ｃを内方斜め上向きに突設してある。この左右の係止部１９ｃは、溶接ボルト２０に螺合しているナット２１による取付具１９の引き上げ操作にともない縦桟１ａの左右の突縁状はぜ部１ｂ下縁に下側から係止している。
【００１７】
支持部材２２は、取付具１９の上面部１９ａおよび側面部１９ｂに被さって内包可能な態様の下方が開放した断面ハット状の金属製のピース材で、上面の吊り部２２ｃの前後側縁から垂下状の前後両側壁部２２ａにおける左右の載乗部２２ｄを縦桟１ａ上縁に当接させて載乗している。
また前後の側壁部２２ａには左右幅Ｌが縦桟１の凹部１ｄの幅Ｌ１よりも若干幅狭いストッパー２２ｆを対向状に垂設してあり、凹部１ｄ内に緩嵌状の前後のストッパー２２ｆ間に取付具１９を内包することで縦桟１ａの長手方向に沿う移動を阻止してある。この前後のストッパー２２ｆの下端には水平部２２ｇを延設してあり、この水平部２２ｇは縦桟１ａの凹部１ｄ内における上面部１ｃに当接して載乗している。
そして、吊り部２２ｃの左右側縁には押え保持部２２ｅを垂設してあり、この左右の押え保持部２２ｅは、前後のストッパー２２ｆとの間にはぜ部１ｂおよび係止部１９ｃを把持していると共に取付具１９の係止部１９ｃを外側から押えて、当該係止部１９ｃを縦桟１ａのはぜ部１ｂに係止状態に保持している。
左右の押え保持部２２ｅ下端には水平状接地部２２ｂを延設してあり、この左右の水平状接地部２２ｂは既設屋根材４上面部に当接し載乗している。
【００１８】
また支持部材２２内には取付具１９を双方の吊り部２２ｃと上面部１９ａ間に引き上げ空間Ｓを確保して内包してあると共に、対向状の前後両ストッパー２２ｆ間に位置する取付具１９の流れ方向の動きを阻止してある。
そして、支持部材２２における吊り部２２ｃの通孔２２ｈには取付具１９側の溶接ボルト２０を貫通させて、吊り部２２ｃ上の溶接ボルト２０にナット２１を螺合し、このナット２１を締めつけることで、支持部材２２内における桁行き方向および流れ方向の動きを阻止されて定位置に収まった取付具１９を引き上げて、左右側面部１９ｂの係止部１９ｃを縦桟１ａの左右の突縁状はぜ部１ｂ下縁に下側から係止せしめることにより、支持部材２２を縦桟１ａ上に取付具１９を経て固定状態に取り付けてある。
【００１９】
かかる既設屋根１の桁行き方向に隣り合う縦桟１ａ間における既設屋根材４上面部には断熱材１０を配設してあると共に、支持部材２２の吊り部２２ｃには保持部材１１をその固定部１１ａに貫通している溶接ボルト２０にナット２３を螺合させて締めつけることにより取り付けて立設してある。
この保持部材１１には新設屋根材１４側縁を係止して、既設屋根１上に新設屋根１３を葺いてある。
【００２０】
図１０〜図１２には本発明の屋根構造における実施の他の１形態として、他の屋根改修構造を例示しており、構成は前記した図７の態様のものと支持部材の構成を除いて基本的に同一であるため、共通している構成の説明は符号を準用して省略し、相違する構成について説明する。
支持部材２４は、取付具１９の上面部１９ａおよび側面部１９ｂに被さって内包可能な態様の下方が開放した断面ハット状の金属製のピース材で、上面の吊り部２４ｃの前後側縁から垂下状の前後両側壁部２４ａにおける左右の載乗部２４ｄを縦桟１ａ上縁に当接させて載乗している。
また前後の側壁部２４ａには左右幅Ｌが縦桟１の凹部１ｄの幅Ｌ１よりも若干幅狭いストッパー２４ｆを対向状に垂設してあり、凹部１ｄ内に緩嵌状の前後のストッパー２４ｆ間に取付具１９を内包することで縦桟１の長手方向に沿う移動を阻止してある。この前後のストッパー２４ｆの下端には水平部２４ｇを延設してあり、この水平部２４ｇは縦桟１ａの凹部１ｄ内における上面部１ｃに当接して載乗している。
【００２１】
そして、吊り部２４ｃの左右側縁には押え保持部２４ｅを垂設してあり、この左右の押え保持部２４ｅは、既設屋根材４上面部から離間する一方で取付具１９の左右側面部１９ｂ下端まで達する高さ比に形成してあり、この左右の押え保持部２４ｅは、前後のストッパー２４ｆとの間にはぜ部１ｂおよび係止部１９ｃを把持していると共に取付具１９の係止部１９ｃを外側から押えて、当該係止部１９ｃを縦桟１ａのはぜ部１ｂに係止状態に保持している。
支持部材２４における吊り部２４ｃの通孔２４ｈには取付具１９側の溶接ボルト２０を貫通させて、吊り部２４ｃ上の溶接ボルト２０にナット２１を螺合し、このナット２１を締めつけることで、支持部材２４内における桁行き方向および流れ方向の動きを阻止されて定位置に収まった取付具１９を引き上げて、左右側面部１９ｂの係止部１９ｃを縦桟１ａの左右の突縁状はぜ部１ｂ下縁に下側から係止せしめることにより、支持部材２４を縦桟１ａ上に取付具１９を経て固定状態に取り付けてある。
この支持部材２４の吊り部２４ｃには保持部材１１をその固定部１１ａに貫通している溶接ボルト２０にナット２３を螺合させて締めつけることにより取り付けて立設し、保持部材１１には新設屋根材１４側縁を係止して、既設屋根１上に新設屋根１３を葺いてある。
【００２２】
図１３〜図１５には本発明の屋根構造における実施の他の１形態として、他の屋根改修構造を例示しており、構成は前記した図７の態様のものと支持部材の構成を除いて基本的に同一であるため、共通している構成の説明は符号を準用して省略し、相違する構成について説明する。
支持部材２５は、取付具１９の上面部１９ａに被さって内包可能な態様の下方が開放した断面ハット状の金属製のピース材で、上面の吊り部２５ｃの前後側縁から垂下状の前後両側壁部２５ａにおける左右の載乗部２５ｄを縦桟１ａ上縁に当接させて載乗している。
また前後の側壁部２５ａには左右幅Ｌが縦桟１の凹部１ｄの幅Ｌ１よりも若干幅狭いストッパー２５ｆを対向状に垂設してあり、凹部１ｄ内に緩嵌状の前後のストッパー２５ｆ間に取付具１９を内包することで縦桟１の長手方向に沿う移動を阻止してある。この前後のストッパー２５ｆの下端には水平部２５ｇを延設してあり、この水平部２５ｇは縦桟１ａの凹部１ｄ内における上面部１ｃに当接して載乗している。
そして、支持部材２５における吊り部２５ｃの通孔２５ｈには取付具１９側の溶接ボルト２０を貫通させて、吊り部２５ｃ上の溶接ボルト２０にナット２１を螺合し、このナット２１を締めつけることで、支持部材２５内における桁行き方向および流れ方向の動きを阻止されて定位置に収まった取付具１９を引き上げて、左右側面部１９ｂの係止部１９ｃを縦桟１ａの左右の突縁状はぜ部１ｂ下縁に下側から係止せしめることにより、支持部材２５を縦桟１ａ上に取付具１９を経て固定状態に取り付けてある。
この支持部材２５の吊り部２５ｃには保持部材１１をその固定部１１ａに貫通している溶接ボルト２０にナット２３を螺合させて締めつけることにより取り付けて立設し、保持部材１１には新設屋根材１４側縁を係止して、既設屋根１上に新設屋根１３を葺いてある。
【００２３】
図１６〜図１８には本発明の屋根構造における実施の他の１形態として、他の屋根改修構造を例示しており、構成は前記した図７の態様のものと支持部材の構成を除いて基本的に同一であるため、共通している構成の説明は符号を準用して省略し、相違する構成について説明する。
支持部材２６は、取付具１９の上面部１９ａに被さる態様の下方が開放した断面ハット状の金属製のピース材で、上面の吊り部２６ｃの前後側縁から垂下状の前後両側壁部２６ａには左右幅Ｌが縦桟１の凹部１ｄの幅Ｌ１よりも若干幅狭いストッパー２６ｆを対向状に垂設してあり、凹部１ｄ内に緩嵌状の前後のストッパー２６ｆ間に取付具１９を内包することで縦桟１の長手方向に沿う移動を阻止してある。この前後のストッパー２６ｆの下端には水平部２６ｇを延設してあり、この水平部２６ｇは縦桟１ａの凹部１ｄ内における上面部１ｃに当接して載乗している。
そして、支持部材２６における吊り部２６ｃの通孔２６ｈには取付具１９側の溶接ボルト２０を貫通させて、吊り部２６ｃ上の溶接ボルト２０にナット２１を螺合し、このナット２１を締めつけることで、支持部材２６内における桁行き方向および流れ方向の動きを阻止されて定位置に収まった取付具１９を引き上げて、左右側面部１９ｂの係止部１９ｃを縦桟１ａの左右の突縁状はぜ部１ｂ下縁に下側から係止せしめることにより、支持部材２６を縦桟１ａ上に取付具１９を経て固定状態に取り付けてある。
この支持部材２６の吊り部２６ｃには保持部材１１をその固定部１１ａに貫通している溶接ボルト２０にナット２３を螺合させて締めつけることにより取り付けて立設し、保持部材１１には新設屋根材１４側縁を係止して、既設屋根１上に新設屋根１３を葺いてある。
【００２４】
前記した図１、図４、図７、図１０、図１３、図１６の屋根構造では、改修構造について説明したが、同構造を新築の屋根構造としても構築できることは言うまでもなく、この場合、既設屋根１は下側屋根として、新設屋根１３は上側屋根として構築することになる。また、図７に例示した屋根構造のものにおいて、載乗部２２ｄが縦桟1ａ上縁に載乗し、水平部２２ｇが上面部1ｃに載乗し、接地部２２ｂが既設屋根材４上面に接地しているが、これに限定されず、載乗部２２ｄ、水平部２２ｇ、接地部２２ｂの少なくともいずれかが載乗或いは接地している態様のものであっても良い。同様に、図１０の屋根構造のもので、載乗部２４ｄ、水平部２４ｇのいずれかが載乗している態様のものであっても良い。また、図１３の屋根構造のものにおいても、載乗部２５ｄ、水平部２５ｇのいずれかが載乗している態様であっても良い。さらに、図７の屋根構造では、左右の押え保持部２２ｅ下端が既設屋根材４上面部に接地して載乗している態様であっても良く、この場合、水平状接地部２２ｂは設けていなくとも良い。
【図面の簡単な説明】
【００２５】
【図１】本発明の屋根構造における実施の1形態として、屋根改修構造を例示している縦断面図。
【図２】図１の（２）−（２）縦断面図。
【図３】取付部材の斜視図。
【図４】本発明の屋根構造における実施の1形態として、他の屋根改修構造を例示している図５の（４）−（４）縦断面図。
【図５】縦断面図。
【図６】取付部材の斜視図。
【図７】本発明の屋根構造における実施の1形態として、他の屋根改修構造を例示している図８の（７）−（７）縦断面図。
【図８】縦断面図。
【図９】取付部材の斜視図。
【図１０】本発明の屋根構造における実施の1形態として、他の屋根改修構造を例示している図１１の（１０）−（１０）縦断面図。
【図１１】縦断面図。
【図１２】取付部材の斜視図。
【図１３】本発明の屋根構造における実施の1形態として、他の屋根改修構造を例示している図１４の（１３）−（１３）縦断面図。
【図１４】縦断面図。
【図１５】取付部材の斜視図。
【図１６】本発明の屋根構造における実施の1形態として、他の屋根改修構造を例示している図１７の（１６）−（１６）縦断面図。
【図１７】縦断面図。
【図１８】取付部材の斜視図。
【符号の説明】
【００２６】
１  既設屋根（下側屋根）
１ａ  縦桟
１ｂ  突縁状はぜ部
１ｃ  上面部
１ｄ  凹部
２  下地
３  防水部材
４  既設屋根材
４ａ  立ち上げ部
５  吊子
５ａ  起立部
６  キャップ材
７、１７、１９  取付具（取付部材）
７ａ、１７ａ、１９ａ  上面部
７ａ１、１９ａ１  乗り面部
７ｂ、１７ｂ、１９ｂ  側面部
７ｃ、１７ｃ、１９ｃ  係止部
１７ｄ  補強部
８、１８、２２、２４、２５、２６  支持部材
８ａ、１８ａ、２２ａ、２４ａ、２５ａ、２６ａ  側壁部
８ｂ  当接部
８ｃ、１８ｃ、２２ｃ、２４ｃ、２５ｃ、２６ｃ  吊り部
１８ｂ、２２ｂ  接地部
９  タッピングビス（螺合手段）
１０  断熱材
１１  保持部材
１１ａ  固定部
１１ｂ  第１被係止部
１１ｃ  第２被係止部
１２  タッピングボルト
１３  新設屋根（上側屋根）
１４  新設屋根材
１４ａ  立ち上がり部
１４ｂ  第１係止部
１４ｃ  第２係止部
１５  内カバー
１６  外カバー
２０  溶接ボルト（螺合手段）
２１、２３  ナット（螺合手段）
２２ｄ、２４ｄ、２５ｄ  載乗部
２２ｅ、２４ｅ  押え保持部
２２ｆ、２４ｆ、２５ｆ、２６ｆ  ストッパー
２２ｇ、２４ｇ、２５ｇ、２６ｇ  水平部
２２ｈ、２４ｈ、２５ｈ、２６ｈ  通孔
Ｓ  引き上げ空間
Ｌ  左右幅
Ｌ１  幅
【図１】
2004316414.tif 000003
【図２】
2004316414.tif 000004
【図３】
2004316414.tif 000005
【図４】
2004316414.tif 000006
【図５】
2004316414.tif 000007
【図６】
2004316414.tif 000008
【図７】
2004316414.tif 000009
【図８】
2004316414.tif 000010
【図９】
2004316414.tif 000011
【図１０】
2004316414.tif 000012
【図１１】
2004316414.tif 000013
【図１２】
2004316414.tif 000014
【図１３】
2004316414.tif 000015
【図１４】
2004316414.tif 000016
【図１５】
2004316414.tif 000017
【図１６】
2004316414.tif 000018
【図１７】
2004316414.tif 000019
【図１８】
2004316414.tif 000020